(57)【要約】  【課題】  バッテリー端子と接続されるに適したヒュージブルリンクおよび、該ヒュージブルリンクとバッテリー端子を収容した小型化且つ薄型のバッテリーヒューズユニットを提供する。  【解決手段】  導電性金属板から打抜加工しており、入力側接続部と出力側接続部とを屈折させて配置し、該屈折部の近傍に細幅とした溶断部を一体的に設けていると共に、該溶断部を取り囲む樹脂部を設け、該樹脂部で上記入力側接続部および出力側接続部の溶断部との連結部分をモールドしているヒュージブルリンクと、該ヒュージブルリンクの入力側接続部に接続されるバッテリー端子をケース内部に収容し、上記バッテリー端子に設けられるボッテリーポストを囲む円弧部を上記ケースより露出させて上記バッテリーポストに外嵌できる構成としている。【選択図】図１
2005166436.tif 000002
【特許請求の範囲】
【請求項１】
導電性金属板から打抜加工しており、入力側接続部と出力側接続部とを屈折させて配置し、該屈折部の近傍に細幅な溶断部を一体的に設けていると共に、該溶断部を取り囲む樹脂部を設け、該樹脂部で上記入力側接続部および出力側接続部の溶断部との連結部分をモールドしていることを特徴とするヒュージブルリンク。
【請求項２】
上記入力側接続部の先端側を傾斜させて突出させ、該傾斜突出部に相手側部材との結合用のボルト孔を穿設し、バッテリー端子のボッテリー・ポストへの一対の締付片に穿設させたボルト孔と連通させてボルト・ナットで締結可能な構成としている請求項１に記載のヒュージブルリンク。
【請求項３】
上記出力側接続部にボルト孔を穿設し、電線に圧着されたオス端子のボルト孔とボルト・ナットで締結可能な構成としている請求項１または請求項２に記載のヒュージブルリンク。
【請求項４】
上記出力側接続部に電線圧着用のバレルを設けている請求項１または請求項２に記載のヒュージブルリンク。
【請求項５】
請求項１乃至請求項４のいずれか１項に記載のヒュージブルリンクと、該ヒュージブルリンクの入力側接続部に接続されるバッテリー端子をケース内部に収容し、上記バッテリー端子に設けられるボッテリーポストを囲む円弧部を上記ケースより露出させて上記バッテリーポストに外嵌できる構成としていることを特徴とするバッテリーに取り付けられるバッテリーヒューズユニット。
【請求項６】
上記ヒュージブルリンクは平面視Ｌ形状とし、四角形状の上記ケースの前後方向の一端側に配置し、該ヒュージブルリンクの入力側端子をケースの左右方向の一方側に配置するバッテリー端子と接続する一方、ヒュージブルリンクの出力側接続部を左右方向の他方側に配置して、電線接続端子と接続し、あるいは電線と圧着接続する構成としている請求項５に記載のバッテリーヒューズユニット。
【発明の詳細な説明】
【技術分野】
【０００１】
本発明は、ヒュージブルリンクおよび該ヒュージブルリンクを収容したバッテリーヒューズユニットに関し、詳しくは、バッテリー・ポストに接続されるバッテリー端子と接続されるヒュージブルリンクとして好適に用いられると共に、該ヒュージブルリンクおよびバッテリー端子をケース内に収容してバッテリーの上部に搭載されるバッテリーヒューズユニットとして好適に用いられるものである。
【背景技術】
【０００２】
従来、バッテリー・ポストと接続されるバッテリー端子にはバッテリーヒューズを介して出力側電線が接続されている。該バッテリーヒューズとしては、入力端子部と出力端子とを細幅とした溶断部で連結したコ字形状の端子材を、細幅部を樹脂ケース内部に埋設したヒュージブルリンクが用いられている。該ヒュージブルリンクは樹脂ケースにより大型化すると共に溶断部が樹脂ケース内部に埋設されているため、溶断した時に外部より目視できず、かつ、発熱により煙等が発生する問題があった。
【０００３】
また、上記バッテリー端子とバッテリーヒューズとを収容するバッテリーヒューズ・ユニットをバッテリーの上面に配置し、バッテリー端子をバッテリー・ポストにボルト・ナットで締結する構成とした場合、ケース内部に収容するバッテリーヒューズが厚幅で大型化するため、ユニット全体が大型化する問題があると共に、バッテリーヒューズとバッテリー端子との間に中継端子を介在させて接続している場合が多く、ユニット内に収容する部品点数が増加する等の問題もある。
【０００４】
上記バッテリー端子と接続するバッテリーヒューズとしてではなく、電線付きヒューズを本出願人は先に特開２００１−５２５９１号で提供している。図７に示すように、該電線付きヒューズ１は、基板１ａの一端に電線圧着バレル１ｂを形成していると共に、基板１ａに細幅とした溶断部１cを備え、該溶断部１cおよび上記バレルで圧着された電線も含めて保護部材２でモールドした構成としている。
【０００５】
上記電線付きヒューズ１を用いた場合、ヒューズに直接電線が接続できる利点があるが、、溶断部を保護部材によりモールドしているので、過電流による発熱がモールド樹脂の溶融に使われて、ヒューズが設定値以上の過電流でも溶断しにくくなり、ヒューズ溶断の信頼性が低いと共に、溶断が発生していても外観より目視できない問題がある。
また、上記ヒューズはバッテリー端子と直接接続できる形状とはされておらず、かつ、溶断部を挟んで対向する両側に入力端子部と出力端子部を突出させているため、入力端子部に中継端子を介してバッテリー端子と接続し、出力端子部に電線を接続した場合、ケース内部に効率よく配置できず、上記バッテリーヒューズ・ユニットが大型化する問題がある。
【０００６】
【特許文献１】特開２００１−５２５９１号公報
【発明の開示】
【発明が解決しようとする課題】
【０００７】
本発明は上記問題に鑑みてなされたものであり、小型且つ薄型で、溶断部に設定値以上の過電流が流れると確実に溶断すると共に、該溶断が目視でき、特に、バッテリー端子を接続してバッテリーヒューズユニット内に収容するに適したヒュージブルリンクを提供することを課題としている。
【課題を解決するための手段】
【０００８】
上記課題を解決するため、本発明は、導電性金属板から打抜加工しており、入力側接続部と出力側接続部とを屈折させて配置し、該屈折部の近傍に細幅とした溶断部を一体的に設けていると共に、該溶断部を取り囲む樹脂部を設け、該樹脂部で上記入力側接続部および出力側接続部の溶断部との連結部分をモールドしていることを特徴とするヒュージブルリンクを提供している。
【０００９】
上記構成とすると、溶断部は空隙とし、該溶断部と連続する入力側接続部および出力側接続部の端部をモールドして溶断部を囲む樹脂部を設けているため、溶断部の補強および外部干渉材から保護できると同時に設定値以上の過電流が流れた時に溶断部を溶断させることができる。
また、入力側接続部と出力側接続部とを屈折させて配置し、具体的には、Ｌ型（出力側接続部を２つとするとＴ型）のヒュージブルリンクとしているため、入力側接続部と出力側接続部を同一線上に設けた場合と比較して、入力側部材と出力側部材の配置位置に応じて効率の良い配置形態とすることができる。例えば、Ｌ型とすると、入力側接続部と出力側接続部に夫れ夫れ連結する端子を平行配置できる一方、Ｔ型とすると、２つの直交方向の出力側接続部にそれぞれ出力側部材を接続させることができる。
【００１０】
上記入力側接続部の先端側を傾斜させて突出させ、該傾斜突出部に相手側部材との結合用のボルト孔を穿設し、バッテリー端子のボッテリー・ポストへの一対の締付片に穿設させたボルト孔と連通させてボルト・ナットで締結可能な構成としている。
【００１１】
上記構成とすると、バッテリー端子の締付片とヒュージブルリンクの入力側接続部とをボルト・ナットで中継端子を介さずに直接固定でき、その際、入力側接続部は先端側を傾斜させているため、バッテリー端子の締付片に沿わせることができ、上記ボルト・ナットによる締結作業を容易にすることができる。
また、バッテリー端子をバッテリーポストに固定する際は一対の締付片をボルト・ナットで締結して、これら締付片に連続させつ一対の円弧部をバッテリーポストに外嵌固定するが、その際の締付片のボルト穴と連通する穴を上記ヒュージブルリンクの入力側接続部にも設けているため、一本のボルトによる一回のボルト・ナット締め作業により、バッテリー端子をバッテリーポストに固定する作業と、バッテリー端子と入力側接続部の締結作業の同時に行うことができる。
【００１２】
上記出力側接続部にボルト孔を穿設し、電線に圧着されたオス端子のボルト孔とボルト・ナットで締結可能な構成としている。
上記構成とすると、ヒュージブルリンクの出力側接続部も電線接続オス端子と中継端子を介さずに直接接続できる。また、溶断部が溶断した場合に、出力側接続部と上記オス端子の締結を解除すると共に、入力側接続部とバッテリー端子の締付片との締結を解除して、ヒュージブルリンクのみを交換することができるため、溶断したヒュージブルリンクの交換を容易にすることができる。
【００１３】
また、上記出力側接続部に電線圧着用のバレルを設けてもよい。
上記構成とすると、出力側接続部を直接電線と接続することができるため、部品点数を削減することができると共に、ボルト締結作業を一工程省くことができる。
【００１４】
また、本発明は、上記ヒュージブルリンクと、該ヒュージブルリンクの入力側接続部に接続されるバッテリー端子をケース内部に収容し、上記バッテリー端子に設けられるボッテリーポストを囲む円弧部を上記ケースより露出させて上記バッテリーポストに外嵌できる構成としていることを特徴とするバッテリーに取り付けられるバッテリーヒューズユニットを提供している。
該バッテリーヒューズユニットは、収容するヒュージブルリンクを薄型化していると共に、該ヒュージブルリンクの入力側端子をバッテリー端子と直接接続しているため、部品点数も少なく、薄型化、小型化を図ることができる。
【００１５】
具体的には、上記ヒュージブルリンクは平面視Ｌ形状とし、四角形状の上記ケースの前後方向の一端側に配置し、該ヒュージブルリンクの入力側端子をケースの左右方向の一方側に配置するバッテリー端子と接続する一方、ヒュージブルリンクの出力側接続部を左右方向の他方側に配置して、電線接続端子と接続し、あるいは電線と圧着接続する構成としている。このような配置構成とすると、四角形状のケース内部にバッテリー端子、ヒュージブルリンク、出力側電線を効率よく収容することができ、バッテリーヒューズユニットの小型化を図ることができ、該ユニットをバッテリーの上面に直付けされることにより、従来必要とした設置スペースを減少することができる。
【発明の効果】
【００１６】
以上の説明より明らかなように、第１の発明のヒュージブルリンクは、導電性金属板を打ち抜き、細幅とした溶断部の両側に屈折させて入力側接続部と出力側接続部とを設けた構成としているため、入力側接続部材と出力側接続部材との配置形態を平行配置とすることができ、ケース内部に収容した時に効率の良い配置形態としてケースを小型化かつ薄型化することができる。また、溶断部は樹脂モールドせずに該溶断部を囲むように樹脂部を設けているため、溶断部を設定値以上の過電流が流れると確実に溶断できると共に、該溶断部をモールドしていないことより外部からも目視することができる。
【００１７】
また、第２の発明のバッテリーヒューズユニットでは、上記ヒュージブルリンクの入力側接続部を直接バッテリー端子と接続した状態でケース内部に収容しているため、該ユニットの小型化および薄型化、さらに、部品点数の削減を図ることができる。かつ、該ユニットをバッテリーボックスに直付けするため、別個にヒューズボックスを配置する必要がなく、限られた車両スペースを有効に利用することができる。
【発明を実施するための最良の形態】
【００１８】
本発明の実施形態を図面を参照して説明する。
図１乃至図３は、本発明の第１実施形態を示し、バッテリーヒューズユニット１０は、アッパーケース１１とロアケース１２からなるケース内部に電線端末に接続したヒュージブルリンク２０とバッテリー端子３０を収容し、自動車に搭載されるバッテリーボックス５０の上面に固定されている。
【００１９】
バッテリーヒューズユニット１０に収容するヒュージブルリンク２０は導電性金属板を打抜加工しており、図２（Ａ）に示すように、入力側接続部２２と出力側接続部２３とを屈折させて直角方向に配置した平面視でＬ型端子とし、屈折部の近傍の出力側接続部２３に近接した位置に細幅とて平面視でＬ形状に屈曲させた溶断部２４を設けている。
入力側接続部２２の先端側は傾斜させて突出した傾斜突出部２２ａとし、該傾斜突出部２２ａにボルト孔２２ｂを穿設している。ボルト孔２２ｂをバッテリー端子３０の締付片３２、３３に穿設したボルト孔３２ａ，３３ａと連通させてボルト・ナットで締結可能としている。出力側接続部２３には、電線ｗ１の絶縁被覆に圧着する絶縁被覆圧着バレル２５ａと芯線に圧着する芯線圧着バレル２５ｂをそれぞれ設けた電線接続部２５としている。溶断部２４と空隙をあけた側部には、入力側接続部２２と出力側接続部２３とを連結する溶断部補強用の保護バー２６を架け渡している。
【００２０】
上記溶断部２４と連続する部分の入力側接続部２２および出力側接続部２３と、上記保護バー２６をモールドする樹脂部２７を設け、かつ、該樹脂部２７に囲まれた溶断部２４の両面に透明なコ字状の樹脂カバー２８を被せている。
【００２１】
ヒュージブルリンク２０の入力側接続部２２に接続されるバッテリー端子３０は、図３に示すように、電源回路の電線ｗ２の先端に圧着接続されるバレル部３４を設けた部位より、バッテリーポスト５１に外嵌する円弧部３１が突出し、該円弧部３１の両端より一対の締付片３２、３３が突出し、これら一対の締付片３２、３３にボルト孔３２ａ、３３ａを設けている。
【００２２】
ヒュージブルリンク２０とバッテリー端子３０の接続は、図３に示すように、ヒュージブルリンク２０の入力側接続部２２のボルト孔２２ｂをバッテリー端子３０の締付片３２、３３に設けた一対のボルト孔３２ａ、３３ａに連通させてボルトＢを通し、ナットＮを締め付けて締結することにより行っている。また、ヒュージブルリンク２０の出力側接続部の電線接続部２５に出力側電線ｗ１を圧着接続している。
この状態で、ヒュージブルリンク２０及びバッテリー端子３０をバッテリーヒューズユニット１０のロアケース１２に収容している。
【００２３】
ロアケース１２は、図１（Ａ）（Ｂ）に示すように、底壁１２ａと該底壁１２ａの周縁部から突出する側壁部１２ｂを備え、底壁１２ａに設けた貫通孔１２ｃを通してバッテリー５０のバッテリーポスト５１をケース内に突出させ、該バッテリーポスト５１にバッテリー端子３０の円弧部３１を外嵌している。一側の側壁部１２ｂには電線引出口１２ｂ−１、１２ｂ−２を設けて、電線ｗ１、ｗ２を同一方向に引き出している。また、ロアケース１２の底壁１２ａからは、ヒュージブルリンク２０の配置箇所に内側リブ１２ｄと外側リブ１２ｅを突設し、、内側リブ１２ｄをヒュージブルリンク２０の下面側に当接すると共に、外側リブ１２ｅの上端部に設けた突起１２ｅ−１をヒュージブルリンク２０の上面側に当接させて、ロアケース１２内に収容したヒュージブルリンク２０を固定している。さらに、電線引出口１２ｂ−２近傍にヒンジ部１２ｆを介してバッテリー端子３０のバレル部３４を覆う蓋部１２ｇを設けている。
【００２４】
ロアケース１２には、バッテリー端子３０のバレル部３４以外の部分を覆うアッパーケース１１をロック結合しており、バッテリー端子３０のバレル部３４にはロアケース１２に設けた蓋部１２ｇを回動させて上面を覆っている。
【００２５】
上記構成とすると、ヒュージブルリンク２０の溶断部２４を樹脂によりモールドせず、溶断部２４を囲むようにモールドしているため、溶断部２４に過電流が流れたときに、モールド樹脂の溶融に熱を奪われることがなく、設定値以上の過電流が流れたときに溶断部２４が溶断されるので、ヒューズ溶断の信頼性を向上させることができる。かつ、アッパーケース１１をひらくと、透明なカバー２８を介して溶断状態を目視することができる。
【００２６】
また、バッテリー端子３０をバッテリーポスト５１に締結固定する作業時に該バッテリー端子３０とヒュージブルリンク２０の入力側接続部とが同時に締結され、作業手数を削減できると共に、従来必要とされたバッテリー端子とヒューズとの間の中継端子を省くことができ部品点数の削減できる。かつ、ヒュージブルリンク２０をＬ型としてバッテリー端子と出力側電線とに接続しているため、小型で四角形状のケース内部に効率よく配置でき、その結果、バッテリーヒューズユニットの小型化を図ることができる。さらに、ヒュージブルリンクは従来のヒュージブルリンクとして基板一体型としているため薄型化できるため、バッテリーヒューズユニットの薄型化も図ることができる。
【００２７】
図４及び図５は、本発明の第２実施形態を示し、上記第１実施形態とはヒュージブルリンクを相違させている。
本実施形態のヒュージブルリンク２０’も導電性金属板を打抜加工しており、図５（Ａ）に示すように、入力側接続部２２’と出力側接続部２３’とを屈折させて直交方向に配置したＬ型端子とし、屈折部の近傍に溶断部２４’を設けている。該溶断部２４’は入力側接続部２２’と出力側接続部２３’のずらした位置から細板部２４ｂ’２４ｃ’を突出し、これら細板部２４ｂ’と２４ｃ’の先端を最も細くした溶断部本体２４ａ’で連結している。入力側接続部２２’の先端側は、第１実施形態と同様に、傾斜させて突出した傾斜突出部２２ａ’とし、該傾斜突出部２２ａ’にボルト孔２２ｂ’を穿設し、バッテリー端子の締付片とボルト・ナットで締結できる形状としている。一方、出力側接続部２３’側にはボルト孔２３ａ’を穿設し、該ボルト孔２３ａ’を電線ｗ１に圧着されたオス端子４１のボルト孔（図示せず）と連通させてボルトＢとナットＮで締結する構成としている。
【００２８】
また、上記溶断部２４’を空隙をあけて囲むは四角枠状の樹脂部２７’を設け、該樹脂部２７’で入力側接続部２２’及び出力側接続部２３’の溶断部連結部分をモールドしている。
【００２９】
ヒュージブルリンク２０’の出力側接続部２３’に接続するオス端子４１は、一端にヒュージブルリンクとの連結用のボルト孔を設け、他端側に絶縁被覆圧着バレル４１ａと芯線圧着バレル４１ｂを備え、電線ｗ１に圧着接続している。
【００３０】
上記のように、ヒュージブルリンク２０’の入力側接続部をバッテリー端子３０の締付片とボルト・ナットで締結すると共に、出力側接続部に電線Ｗ２を圧着接続したオス端子４１をボルト・ナットで締結し、第１実施形態と同様にバッテリーヒューズユニット１０のロアケース１２に収容し、アッパーカバーで蓋をしている。かつ、該バッテリーヒューズユニット１０をバッテリーボックス５０の上面に搭載し、バッテリー端子３０をバッテリーポストに外嵌固定して接続している。
【００３１】
上記構成とすると、上記第１実施形態と同様の効果が得られると共に、出力側接続部に電線と圧着したオス端子４１をボルト・ナットで締結しているため、ヒュージブルリンク２０’の溶断部２４’が溶断した場合に、出力側接続部２３’とオス端子４１の締結を解除すれば、電線と接続されたオス端子を再利用でき、新たに交換したヒュージブルリンクとボルト・ナットで締結すればよい。
なお、他の構成及び作用効果は上記第１実施形態と同様のため、同一の符号を付して説明を省略する。
【００３２】
図６は、本発明の第３実施形態のヒュージブルリンク２０”を示し、該ヒュージブルリンク２０”は１つの入力側接続部２２”と２つの出力側接続部２３”を備えたＴ型としている。入力側接続部２２”及び出力側接続部２３”には、それぞれボルト孔２２ｂ”、２３ａ”が穿設されている。また、溶断部２４”及び溶断部を空隙をあけて囲む樹脂部２７”は上記第２実施形態と同様としている。
なお、入力側接続部２２”の先端側は上記実施形態と同様、傾斜させて突出させた傾斜突出部としてもよい。
また、他の構成及び作用効果は上記実施形態と同様のため、同一の符号を付して説明を省略する。
【図面の簡単な説明】
【００３３】
【図１】本発明の第１実施形態のバッテリーヒューズユニットを示し、（Ａ）は平面図、（Ｂ）はＩ−Ｉ線断面図である。
【図２】ヒュージブルリンクを示す図面である。
【図３】ヒュージブルリンクとバッテリー端子の固定方法を示す図面である。
【図４】本発明の第２実施形態のバッテリーヒューズユニットを示す平面図である。
【図５】本発明の第２実施形態のヒュージブルリンクを示し、（Ａ）は平面図、（Ｂ）は正面図、（Ｃ）は左側面図である。
【図６】本発明の第３実施形態のヒュージブルリンクを示し、（Ａ）は平面図、（Ｂ）は正面図である。
【図７】従来例を示す図面である。
【符号の説明】
【００３４】
１０  バッテリーヒューズユニット
２０  ヒュージブルリンク
２２  入力側接続部
２３  出力側接続部
２４  溶断部
２７  樹脂部
３０  バッテリー端子
３１  円弧部
３２、３３  締付片
５０  バッテリー
５１  バッテリーポスト
Ｂ  ボルト
Ｎ  ナット
【図１】
2005166436.tif 000003
【図２】
2005166436.tif 000004
【図３】
2005166436.tif 000005
【図４】
2005166436.tif 000006
【図５】
2005166436.tif 000007
【図６】
2005166436.tif 000008
【図７】
2005166436.tif 000009